【手続補正書】
【提出日】平成27年9月3日(2015.9.3)
【手続補正１】
【補正対象書類名】明細書
【補正対象項目名】発明の名称
【補正方法】変更
【補正の内容】
【発明の名称】印刷システム、印刷システムの制御方法、画像形成装置、画像形成装置の制御方法、及びプログラム
【手続補正２】
【補正対象書類名】明細書
【補正対象項目名】００１１
【補正方法】変更
【補正の内容】
【００１１】
そこで本発明は、上記した問題点を鑑み、指定した印刷データを、出力可能とする情報を入力して出力する場合、指定された印刷データのセキュリティ情報により特定した他の印刷データもまとめて出力可能とすることを目的とする。
【手続補正３】
【補正対象書類名】明細書
【補正対象項目名】００１２
【補正方法】変更
【補正の内容】
【００１２】
上記の目的を達成するために、本発明の印刷システムは、情報処理装置と、前記情報処理装置から送信された印刷データを受信し、受信した印刷データに基づいた印刷出力を行う画像形成装置を含む印刷システムであって、前記情報処理装置は、前記印刷データのセキュリティ情報の設定を受け付けるセキュリティ情報設定受付手段と、前記印刷データを前記画像形成装置へ送信する送信手段と、を備え、前記画像形成装置は、前記送信手段で送信された、前記印刷データを前記情報処理装置から受信する受信手段と、前記受信手段で受信した、前記セキュリティ情報が設定された前記印刷データの中から、印刷出力を行う印刷データである第１の印刷データの指定を受け付ける印刷データ指定受付手段と、前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、前記印刷データ指定受付手段で受け付けた第１の印刷データを出力可能とするための情報の入力を受け付ける情報受付手段と、前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、を備えることを特徴とする。
【手続補正４】
【補正対象書類名】明細書
【補正対象項目名】００１３
【補正方法】変更
【補正の内容】
【００１３】
また、上記した目的を達成するために、本発明の印刷システムの制御方法は、情報処理装置と、前記情報処理装置から送信された印刷データを受信し、受信した印刷データに基づいた印刷出力を行う画像形成装置を含む印刷システムの制御方法であって、前記情報処理装置の情報設定受付手段が、前記印刷データのセキュリティ情報の設定を受け付けるセキュリティ情報設定受付ステップと、前記情報処理装置の送信手段が、前記印刷データを前記画像形成装置へ送信する送信ステップと、を含み、前記画像形成装置の受信手段が、前記送信手段で送信された、前記印刷データを前記情報処理装置から受信する受信ステップと、前記画像形成装置の印刷データ指定受付手段が、前記受信ステップで受信した、前記セキュリティ情報が設定された前記印刷データの中から、印刷出力を行う印刷データである第１の印刷データの指定を受け付ける印刷データ指定受付ステップと、前記画像形成装置の特定手段が、前記印刷データ指定受付ステップで受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定ステップと、前記画像形成装置の情報受付手段が、前記印刷データ指定受付ステップで受け付けた第１の印刷データを出力可能とするための情報の入力を受け付ける情報受付ステップと、前記画像形成装置の出力手段が、前記情報受付ステップで受け付けた前記第１の印刷データを印刷するための情報と、前記印刷データ指定受付ステップで受け付けた前記第１の印刷データのセキュリティ情報とに基づき、前記第１の印刷データが出力可能である場合に、前記印刷データ指定受付ステップで受け付けた前記第１の印刷データと前記特定ステップで特定された前記第２の印刷データとをまとめて出力する出力手段と、を含むことを特徴とする。
【手続補正５】
【補正対象書類名】明細書
【補正対象項目名】００１４
【補正方法】変更
【補正の内容】
【００１４】
また、上記した目的を達成するために、本発明の画像形成装置は、情報処理装置から送信されたセキュリティ情報の設定を受け付けた印刷データを受信し、受信した印刷データに基づいた印刷出力を行う画像形成装置であって、前記印刷データを前記情報処理装置から受信する受信手段と、前記受信手段で受信した、前記セキュリティ情報が設定された前記印刷データの中から、印刷出力を行う印刷データである第１の印刷データの指定を受け付ける印刷データ指定受付手段と、前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、前記印刷データ指定受付手段で受け付けた第１の印刷データを出力可能とするための情報の入力を受け付ける情報受付手段と、前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、を備えることを特徴とする。
また、上記した目的を達成するために、本発明の画像形成装置の制御方法は、情報処理装置から送信されたセキュリティ情報の設定を受け付けた印刷データを受信し、受信した印刷データに基づいた印刷出力を行う画像形成装置の制御方法であって、受信手段が、前記印刷データを前記情報処理装置から受信する受信ステップと、印刷データ指定受付手段が、前記受信ステップで受信した、前記セキュリティ情報が設定された前記印刷データの中から、印刷出力を行う印刷データである第１の印刷データの指定を受け付ける印刷データ指定受付ステップと、特定手段が、前記印刷データ指定受付ステップで受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定ステップと、情報受付手段が、前記印刷データ指定受付ステップで受け付けた第１の印刷データを出力可能とするための情報の入力を受け付ける情報受付ステップと、出力手段が、前記情報受付ステップで受け付けた前記第１の印刷データを印刷するための情報と、前記印刷データ指定受付ステップで受け付けた前記第１の印刷データのセキュリティ情報とに基づき、前記第１の印刷データが出力可能である場合に、前記印刷データ指定受付ステップで受け付けた前記第１の印刷データと前記特定ステップで特定された前記第２の印刷データとをまとめて出力する出力ステップと、を含むことを特徴とする。
また、上記した目的を達成するために、本発明のプログラムは、情報処理装置から送信されたセキュリティ情報の設定を受け付けた印刷データを受信し、受信した印刷データに基づいた印刷出力を行う画像形成装置で実行可能なプログラムであって、前記画像形成装置を、前記印刷データを前記情報処理装置から受信する受信手段と、前記受信手段で受信した、前記セキュリティ情報が設定された前記印刷データの中から、印刷出力を行う印刷データである第１の印刷データの指定を受け付ける印刷データ指定受付手段と、前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、前記印刷データ指定受付手段で受け付けた第１の印刷データを出力可能とするための情報の入力を受け付ける情報受付手段と、前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、として機能させることを特徴とする。
【手続補正６】
【補正対象書類名】明細書
【補正対象項目名】００１５
【補正方法】変更
【補正の内容】
【００１５】
本発明によれば、指定した印刷データを、出力可能とする情報を入力して出力する場合、指定された印刷データのセキュリティ情報により特定した他の印刷データもまとめて出力可能となる。
【手続補正７】
【補正対象書類名】特許請求の範囲
【補正対象項目名】全文
【補正方法】変更
【補正の内容】
【特許請求の範囲】
【請求項１】
情報処理装置と、前記情報処理装置から送信された印刷データを受信し、受信した印刷データに基づいた印刷出力を行う画像形成装置を含む印刷システムであって、
前記情報処理装置は、
前記印刷データのセキュリティ情報の設定を受け付けるセキュリティ情報設定受付手段と、
前記印刷データを前記画像形成装置へ送信する送信手段と、
を備え、
前記画像形成装置は、
前記送信手段で送信された、前記印刷データを前記情報処理装置から受信する受信手段と、
前記受信手段で受信した、前記セキュリティ情報が設定された前記印刷データの中から、印刷出力を行う印刷データである第１の印刷データの指定を受け付ける印刷データ指定受付手段と、
前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、
前記印刷データ指定受付手段で受け付けた第１の印刷データを出力可能とするための情報の入力を受け付ける情報受付手段と、
前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、
を備えることを特徴とする印刷システム。
【請求項２】
前記印刷データには、当該印刷データの指示を行ったユーザを特定するユーザ情報が含まれ、
前記特定手段は、前記第１の印刷データと同一のユーザ情報を有する印刷データを前記第２の印刷データとして特定すること
を特徴とする請求項１に記載の印刷システム。
【請求項３】
前記印刷データに設定される前記セキュリティ情報にはセキュリティレベルが含まれ、
前記特定手段は、前記第１の印刷データに設定された前記セキュリティ情報の前記セキュリティレベルよりも低い印刷データを前記第２の印刷データとして特定すること
を特徴とする請求項１または２に記載の印刷システム。
【請求項４】
前記印刷データに設定される前記セキュリティ情報に含まれる前記セキュリティレベルに応じて、印刷データの印刷実行順を決定する決定手段を更に備え、
前記出力手段は、前記決定手段により決定された印刷実行順に前記第１の印刷データ及び前記第２の印刷データを出力すること
を特徴とする請求項３に記載の印刷システム。
【請求項５】
前記印刷データに設定されるセキュリティ情報では、前記印刷データに対し、前記第１の印刷データとまとめて印刷可能か否かの設定を受け付けるまとめ印刷設定手段を更に備え、
前記特定手段で特定される前記第２の印刷データは、前記まとめ印刷設定手段で前記第１の印刷データとまとめて印刷可能であると設定された印刷データであること
を特徴とする請求項１乃至４のいずれか１項に記載の印刷システム。
【請求項６】
前記特定手段は、前記第２の印刷データに、過去に前記情報受付手段で正しい情報を受け付けなかった印刷データを含めないこと
を特徴とする請求項１乃至５のいずれか１項に記載の印刷システム。
【請求項７】
前記出力手段は、前記受信手段で受信した印刷データにセキュリティ情報がなされていない場合には、当該印刷データの出力を直ちに実行すること
を特徴とする請求項１乃至６のいずれか１項に記載の印刷システム。
【請求項８】
情報処理装置と、前記情報処理装置から送信された印刷データを受信し、受信した印刷データに基づいた印刷出力を行う画像形成装置を含む印刷システムの制御方法であって、
前記情報処理装置の情報設定受付手段が、前記印刷データのセキュリティ情報の設定を受け付けるセキュリティ情報設定受付ステップと、
前記情報処理装置の送信手段が、前記印刷データを前記画像形成装置へ送信する送信ステップと、
を含み、
前記画像形成装置の受信手段が、前記送信手段で送信された、前記印刷データを前記情報処理装置から受信する受信ステップと、
前記画像形成装置の印刷データ指定受付手段が、前記受信ステップで受信した、前記セキュリティ情報が設定された前記印刷データの中から、印刷出力を行う印刷データである第１の印刷データの指定を受け付ける印刷データ指定受付ステップと、
前記画像形成装置の特定手段が、前記印刷データ指定受付ステップで受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定ステップと、
前記画像形成装置の情報受付手段が、前記印刷データ指定受付ステップで受け付けた第１の印刷データを出力可能とするための情報の入力を受け付ける情報受付ステップと、
前記画像形成装置の出力手段が、前記情報受付ステップで受け付けた前記第１の印刷データを印刷するための情報と、前記印刷データ指定受付ステップで受け付けた前記第１の印刷データのセキュリティ情報とに基づき、前記第１の印刷データが出力可能である場合に、前記印刷データ指定受付ステップで受け付けた前記第１の印刷データと前記特定ステップで特定された前記第２の印刷データとをまとめて出力する出力手段と、
を含むことを特徴とする印刷システムの制御方法。
【請求項９】
情報処理装置から送信されたセキュリティ情報の設定を受け付けた印刷データを受信し、受信した印刷データに基づいた印刷出力を行う画像形成装置であって、
前記印刷データを前記情報処理装置から受信する受信手段と、
前記受信手段で受信した、前記セキュリティ情報が設定された前記印刷データの中から、印刷出力を行う印刷データである第１の印刷データの指定を受け付ける印刷データ指定受付手段と、
前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、
前記印刷データ指定受付手段で受け付けた第１の印刷データを出力可能とするための情報の入力を受け付ける情報受付手段と、
前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、
を備えることを特徴とする画像形成装置。
【請求項１０】
情報処理装置から送信されたセキュリティ情報の設定を受け付けた印刷データを受信し、受信した印刷データに基づいた印刷出力を行う画像形成装置の制御方法であって、
受信手段が、前記印刷データを前記情報処理装置から受信する受信ステップと、
印刷データ指定受付手段が、前記受信ステップで受信した、前記セキュリティ情報が設定された前記印刷データの中から、印刷出力を行う印刷データである第１の印刷データの指定を受け付ける印刷データ指定受付ステップと、
特定手段が、前記印刷データ指定受付ステップで受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定ステップと、
情報受付手段が、前記印刷データ指定受付ステップで受け付けた第１の印刷データを出力可能とするための情報の入力を受け付ける情報受付ステップと、
出力手段が、前記情報受付ステップで受け付けた前記第１の印刷データを印刷するための情報と、前記印刷データ指定受付ステップで受け付けた前記第１の印刷データのセキュリティ情報とに基づき、前記第１の印刷データが出力可能である場合に、前記印刷データ指定受付ステップで受け付けた前記第１の印刷データと前記特定ステップで特定された前記第２の印刷データとをまとめて出力する出力ステップと、
を含むことを特徴とする画像形成装置の制御方法。
【請求項１１】
情報処理装置から送信されたセキュリティ情報の設定を受け付けた印刷データを受信し、受信した印刷データに基づいた印刷出力を行う画像形成装置で実行可能なプログラムであって、
前記画像形成装置を、
前記印刷データを前記情報処理装置から受信する受信手段と、
前記受信手段で受信した、前記セキュリティ情報が設定された前記印刷データの中から、印刷出力を行う印刷データである第１の印刷データの指定を受け付ける印刷データ指定受付手段と、
前記印刷データ指定受付手段で受け付けた第１の印刷データとともに印刷可能な他の前記セキュリティ情報が設定された印刷データである第２の印刷データを、前記第１の印刷データに設定された前記セキュリティ情報と前記第２の印刷データに設定された前記セキュリティ情報とに基づき、特定する特定手段と、
前記印刷データ指定受付手段で受け付けた第１の印刷データを出力可能とするための情報の入力を受け付ける情報受付手段と、
前記情報受付手段で受け付けた前記第１の印刷データを印刷するための情報と、前記印刷データ指定受付手段で受け付けた前記第１の印刷データのセキュリティ情報とに基づき、前記第１の印刷データが出力可能である場合に、前記印刷データ指定受付手段で受け付けた前記第１の印刷データと前記特定手段で特定された前記第２の印刷データとをまとめて出力する出力手段と、
として機能させることを特徴とするプログラム。